(57)【要約】【課題】  ２以上の場所における来客や不法侵入者の検出状況を履歴として残すことができ、その履歴情報を利用者が後から参照可能な通信装置を提供すること。【解決手段】  ファクシミリ装置１は、複数のセンサ３を備えており、これらのセンサ３を２以上の場所に配置しておくことにより、２以上の場所における来客や不法侵入者を検出することができる。しかも、各センサ３で人体を検出した際には、反応／操作  履歴  記憶部２１に人体の検出状況が履歴として残されるので、人体検出時に単に通報先へ通報する装置とは異なり、反応／操作  履歴  記憶部２１を、利用者が後から参照することも可能となる。【選択図】  図１
2005192155.tif 000002
【特許請求の範囲】
【請求項１】
それぞれが人体を検出可能な複数のセンサに関する情報を記憶可能なセンサ情報記憶手段と、
前記複数のセンサのいずれかで人体を検出した際に、該人体を検出したセンサが前記複数のセンサのうちのどれであったかを示すセンサ情報が含まれる人体検出情報を、前記センサ情報記憶手段に記憶させる記憶制御手段と
を備えたことを特徴とする通信装置。
【請求項２】
前記人体検出情報には、前記センサによる人体の検出が行われた時刻を示す時刻情報が含まれている
ことを特徴とする請求項１に記載の通信装置。
【請求項３】
前記センサ情報および前記時刻情報が含まれる前記人体検出情報を、画面表示する、または、印刷出力する、または所定の送信先へと送信する情報出力手段
を備えたことを特徴とする請求項２に記載の通信装置。
【請求項４】
連絡先データを記憶可能な連絡先記憶手段と、
前記複数のセンサのいずれかで人体を検出した際に、その旨を前記連絡先記憶手段に記憶された連絡先データにより示される連絡先に通知する情報通知手段と
を備えたことを特徴とする請求項１〜請求項３のいずれかに記載の通信装置。
【請求項５】
前記連絡先記憶手段は、前記複数のセンサのそれぞれに対応づけられる複数の連絡先データを記憶可能で、
前記情報通知手段は、前記複数のセンサのいずれかで人体を検出した際に、その旨を、前記連絡先記憶手段に記憶された複数の連絡先データの中から、人体を検出したセンサに対応づけられた連絡先データを選択し、該連絡先データにより示される連絡先に通知する
ことを特徴とする請求項４に記載の通信装置。
【請求項６】
前記複数のセンサのうち、いずれかが正常に作動していないことを検出可能なセンサ異常検出手段を備え、
前記情報通知手段は、前記センサ異常検出手段によって、前記複数のセンサのいずれかが正常に作動していないことを検出した場合に、その旨を前記連絡先記憶手段に記憶された連絡先データにより示される連絡先に通知する
ことを特徴とする請求項４または請求項５に記載の通信装置。
【請求項７】
前記複数のセンサのいずれかで人体を検出した際に、検出音を発生させる検出音発生手段
を備えたことを特徴とする請求項１〜請求項６のいずれかに記載の通信装置。
【請求項８】
前記検出音発生手段は、複数種の検出音を発生可能で、前記複数のセンサのいずれかで人体を検出した際に、前記複数種の検出音の中から、人体を検出したセンサに対応づけられた検出音を選択して該検出音を発生させる
ことを特徴とする請求項７に記載の通信装置。
【請求項９】
前記複数のセンサのうち、いずれかが正常に作動していないことを検出可能なセンサ異常検出手段を備え、
前記検出音発生手段は、前記センサ異常検出手段によって、前記複数のセンサのいずれかが正常に作動していないことを検出したら、検出音を発生させる
ことを特徴とする請求項７または請求項８に記載の通信装置。
【請求項１０】
テストモードとするか否かを設定可能なテストモード設定手段を備えており、
該テストモード設定手段によってテストモードとする旨の設定がなされた場合には、前記記憶制御手段による人体検出情報の記憶制御を行うことなく、前記検出音発生手段による検出音の発生を行う
ことを特徴とする請求項７〜請求項９のいずれかに記載の通信装置。
【発明の詳細な説明】
【技術分野】
【０００１】
本発明は、来客や不法侵入者を検出する機能を備えた通信装置に関する。
【背景技術】
【０００２】
従来、人が近くにいることを人体検出センサで検出可能なファクシミリ装置が知られている。この種のファクシミリ装置は、人が近くにいるか否かに応じて通常モードと節電モードとを切り替えるなどの制御を行うものである。
【０００３】
また、この種のファクシミリ装置が備える人体検出センサを、不法侵入者の検出に利用することも既に提案されている。（例えば、下記特許文献１参照。）。
下記特許文献１に記載のファクシミリ装置の場合、在宅／不在を切り替え設定できるようになっていて、不在設定時に不法侵入者を検出すると、あらかじめ登録してある通報先にファクシミリメッセージを送信したり、あらかじめ登録してある通報先に音声メッセージを送信したり、あるいは、不法侵入者に対して警告音声を拡声出力するようになっている。
【特許文献１】特開２０００−３３２９２５号公報
【発明の開示】
【発明が解決しようとする課題】
【０００４】
ところで、上記特許文献１に記載の技術において、ファクシミリ装置に設けられている人体検出センサは、元々はファクシミリ装置の利用者を検出するために設けられたものである。そのため、ファクシミリ装置を設置した場所１カ所において、不法侵入者を検出したい場合には特に問題がないものの、２カ所以上の離れた場所において来客や不法侵入者を検出したいといった要望に応えられるものではなかった。
【０００５】
また、上記特許文献１に記載のファクシミリ装置は、不法侵入者の検出時に、直ちに通報先に連絡したり、直ちに警告音声を拡声出力する機能なら持っているものの、来客や不法侵入者の検出状況を履歴として残す機能は備えていなかった。そのため、来客や不法侵入者の検出時に、その検出を直ちに知ることはできても、後になってから来客や不法侵入者の検出状況が知りたくなっても、そのような情報を得ることはできなかった。
【０００６】
したがって、上記特許文献１に記載の技術では、２以上の場所における来客や不法侵入者の検出状況を履歴として残しておき、その履歴情報を利用者が後から参照するようなことは、まったく不可能であった。
【０００７】
本発明は、上記問題を解決するためになされたものであり、その目的は、２以上の場所における来客や不法侵入者の検出状況を履歴として残すことができ、その履歴情報を利用者が後から参照可能な通信装置を提供することにある。
【課題を解決するための手段】
【０００８】
以下、本発明において採用した特徴的構成について説明する。
本発明の通信装置は、
それぞれが人体を検出可能な複数のセンサに関する情報を記憶可能なセンサ情報記憶手段と、
前記複数のセンサのいずれかで人体を検出した際に、該人体を検出したセンサが前記複数のセンサのうちのどれであったかを示すセンサ情報が含まれる人体検出情報を、前記センサ情報記憶手段に記憶させる記憶制御手段と
を備えたことを特徴とする。
【０００９】
本発明において、通信装置とは、遠隔地にある別の通信装置に対してデータを送信可能な装置のことであり、具体的には、例えば、データとしてファクシミリ画像を送信可能なファクシミリ装置、データとしてメールを送信可能なメール端末などが、本発明でいう通信装置に含まれる。
【００１０】
また、本発明の通信装置は、それぞれが人体を検出可能な複数のセンサとともに使用される。人体を検出可能なセンサとしては、光電センサ、焦電センサ、測距センサなど、公知の人体検出センサを任意に利用できる。これらの人体検出センサは、目的に応じてどれを利用してもよく、必要があれば複数種のセンサを組み合わせて利用することもできる。
【００１１】
このような通信装置において、複数のセンサのいずれかで人体を検出した際、記憶制御手段は、人体を検出したセンサが複数のセンサのうちのどれであったかを示すセンサ情報（例えば、個々のセンサを示す番号、個々のセンサに付与された名称や識別コードなど）が含まれる人体検出情報を、センサ情報記憶手段に記憶させる。その結果、センサ情報記憶手段には、人体の検出状況が履歴として残される。
【００１２】
したがって、この通信装置によれば、複数のセンサを２以上の場所に配置しておくことにより、２以上の場所における来客や不法侵入者を検出することができる。しかも、各センサで人体を検出した際には、センサ情報記憶手段に人体の検出状況が履歴として残されるので、人体検出時に単に通報先へ通報する装置とは異なり、センサ情報記憶手段の記憶する履歴情報を、利用者が後から参照することも可能となる。
【００１３】
なお、本発明の通信装置は、さらに次のように構成されていると望ましい。
まず、本発明の通信装置において、前記人体検出情報には、前記センサによる人体の検出が行われた時刻を示す時刻情報が含まれているとよい。
【００１４】
この場合、どのセンサで人体を検出したのかを示すセンサ情報に加え、人体の検出が行われた時刻を示す時刻情報が、人体検出情報としてセンサ情報記憶手段に記憶されるので、利用者が後から履歴情報を参照した際に、来客のあった時刻や不法侵入者を検出した時刻を知ることができる。
【００１５】
また、本発明の通信装置は、前記センサ情報および前記時刻情報が含まれる前記人体検出情報を、画面表示する、または、印刷出力する、または所定の送信先へと送信する情報出力手段を備えているとよい。
【００１６】
この情報出力手段は、画面表示する機能、印刷出力する機能、所定の送信先へと送信する機能、以上３つの機能のうち、少なくとも１つの機能を備えていればよい。
このような情報出力手段を備えていれば、利用者は人体検出情報を画面表示するか、印刷出力するか、あるいは、所定の送信先へと送信するか、少なくともいずれか１つの方法にて人体検出情報を出力できるので、その出力結果を見て、来客や不法侵入者を検出したこと、およびその検出時刻を知ることができる。
【００１７】
また、本発明の通信装置は、連絡先データを記憶可能な連絡先記憶手段と、前記複数のセンサのいずれかで人体を検出した際に、その旨を前記連絡先記憶手段に記憶された連絡先データにより示される連絡先に通知する情報通知手段とを備えていてもよい。
【００１８】
この場合、情報通知手段は、複数のセンサのいずれかで人体を検出した際に、その旨を連絡先に通知する。したがって、連絡先となっている場所において、複数のセンサのいずれかで人体を検出したことを知ることができる。
【００１９】
なお、情報通知手段による連絡先への通知方法は、複数のセンサのいずれかで人体を検出した旨を通知できるのであれば、どのような通知方法であってもよい。例えば、先に説明した人体検出情報そのものを、通知先へ送信してもよいし、人体検出情報とは別に用意されたメッセージ（例えば、来客を知らせる音声メッセージ、異常発生を知らせる音声メッセージ）などを、通知先へ送信してもよい。また、連絡先そのものが来客や不法侵入者の検出を通知するための専用電話番号の場合、その電話番号に対して発呼するだけでも所期の目的を達成できる。
【００２０】
また、前記連絡先記憶手段は、前記複数のセンサのそれぞれに対応づけられる複数の電話番号を記憶可能で、前記情報通知手段は、前記複数のセンサのいずれかで人体を検出した際に、その旨を、前記連絡先記憶手段に記憶された複数の連絡先データの中から、人体を検出したセンサに対応づけられた連絡先データを選択し、該連絡先データにより示される連絡先に通知するものであってもよい。
【００２１】
この場合は、人体を検出したセンサに応じて、そのセンサに対応する連絡先データが選択され、その連絡先データにより示される連絡先に、センサで人体を検出した旨が通知される。
【００２２】
したがって、例えば、来客検出用のセンサと不正侵入者検出用のセンサとで、別の連絡先データを設定したり、一方だけ連絡先データを設定したりすることができる。また、複数の部屋のそれぞれにセンサを設置した場合に、各センサ毎に各部屋の責任者（管理者）の連絡先データを設定することもできる。
【００２３】
なお、以上説明した情報通知手段は、電話回線を介して連絡先に通知を行う手段であってもよいし、電子メールで連絡先に通知を行う手段であってもよい。電話回線を介して連絡先に通知を行う手段であれば、連絡先データは電話番号となり、電子メールで連絡先に通知を行う手段であれば、連絡先データはメールアドレスとなる。
【００２４】
また、本発明の通信装置は、前記複数のセンサのうち、いずれかが正常に作動していないことを検出可能なセンサ異常検出手段を備え、前記情報通知手段は、前記センサ異常検出手段によって、前記複数のセンサのいずれかが正常に作動していないことを検出した場合に、その旨を前記連絡先記憶手段に記憶された連絡先データにより示される連絡先に通知するものであってもよい。
【００２５】
この場合、情報通知手段は、センサ異常検出手段によって複数のセンサのいずれかが正常に作動していないことを検出した際に、その旨を連絡先に通知する。したがって、連絡先となっている場所において、複数のセンサのいずれかが正常に作動していないことを知ることができる。
【００２６】
さらに、本発明の通信装置は、前記複数のセンサのいずれかで人体を検出した際に、検出音を発生させる検出音発生手段を備えていてもよい。
この場合、検出音発生手段は、複数のセンサのいずれかで人体を検出した際に、検出音を発生させる。
【００２７】
したがって、発生させた検出音が届く場所において、来客があったことなどを知ることができる。また、不正侵入者に対して警告を発するような検出音であれば、防犯効果を高めることができる。
【００２８】
また、前記検出音発生手段は、複数種の検出音を発生可能で、前記複数のセンサのいずれかで人体を検出した際に、前記複数種の検出音の中から、人体を検出したセンサに対応づけられた検出音を選択して該検出音を発生させるものであるとよい。
【００２９】
この場合、複数のセンサのいずれかで人体を検出した際に、検出音発生手段は、複数種の検出音の中から、人体を検出したセンサに対応づけられた検出音を選択し、その選択した検出音を発生させる。
【００３０】
したがって、あるセンサは来客を検出するためのセンサとして表口などに設置し、そのセンサで人体を検出したら、来客検出時用の検出音を発生させる一方、別のセンサは不正侵入者を検出するためのセンサとして裏口などに設置し、そのセンサで人体を検出したら、不正侵入者検出時用の検出音（警報音）を発生させるなど、各センサの用途等に合わせて各センサ毎に検出音を変えることができる。
【００３１】
また、本発明の通信装置は、前記複数のセンサのうち、いずれかが正常に作動していないことを検出可能なセンサ異常検出手段を備え、前記検出音発生手段は、前記センサ異常検出手段によって、前記複数のセンサのいずれかが正常に作動していないことを検出したら、検出音を発生させるものであってもよい。
【００３２】
この場合、検出音発生手段は、センサ異常検出手段によって複数のセンサのいずれかが正常に作動していないことを検出した際に、検出音を発生させる。
したがって、発生させた検出音が届く場所において、複数のセンサのいずれかが正常に作動していないことを知ることができる。また、不正侵入者がセンサを取り外すようなことをすると、それに反応して検出音を発生させることになるので、防犯効果を高めることができる。
【００３３】
さらに、本発明の通信装置は、テストモードとするか否かを設定可能なテストモード設定手段を備えており、該テストモード設定手段によってテストモードとする旨の設定がなされた場合には、前記記憶制御手段による人体検出情報の記憶制御を行うことなく、前記検出音発生手段による検出音の発生を行うものとなっていてもよい。
【００３４】
この場合、テストモード設定手段にてテストモードとする旨の設定をしておけば、検出音発生手段を利用して各センサが正常に作動するかどうかをテストすることができ、そのテスト時にセンサが反応しても、記憶制御手段による人体検出情報の記憶制御は行われないので、後から履歴を見たときに、来客や不正侵入者があったと誤解することがない。
【発明の効果】
【００３５】
以上説明した通り、本発明によれば、２以上の場所における来客や不法侵入者の検出状況を履歴として残すことができ、その履歴情報を利用者が後から参照可能な通信装置を提供することができる。
【発明を実施するための最良の形態】
【００３６】
次に、本発明の実施形態について一例を挙げて説明する。
本発明の実施形態として説明する通信装置は、ファクシミリ装置として構成されたものである。
【００３７】
図１に示すように、ファクシミリ装置１には、複数の人体検出用のセンサ３，３，３…が接続されている。なお、センサ３は、本実施形態の場合、最大８台まで接続可能であるが、これら複数のセンサ３は、すべて同一構造のものなので、図１においては、センサ３を３台のみ図示し、その中の１台のセンサ３についてのみ、内部構成を図示してある。
【００３８】
まず、ファクシミリ装置１の内部構成について説明する。
ファクシミリ装置１は、主制御部１１、シリアル通信部１２、モデム１３、操作パネル部１４、音声出力部１５、印字部１６、設定  記憶部１７、ハンドセット部１８、電話通信制御部１９、録音メッセージ記憶部２０、反応／操作  履歴  記憶部２１、履歴  記憶部２２、電話／ファックス番号  記憶部２３、表示部２４、ケーブル接続部２５、ファックス通信制御部２６などを備えている。
【００３９】
主制御部１１は、周知のＣＰＵ、ＲＯＭ、ＲＡＭ等によって構成され、ＣＰＵがＲＯＭに記憶されたプログラムに従って各種演算および制御を実行し、この主制御部１１の制御下で各部が作動するようになっている。
【００４０】
シリアル通信部１２は、センサ３との間のデータ通信に関する処理を実行する部分で、センサ３に対して情報の送信を要求するためのコマンドを生成し、そのコマンドをシリアルデータとして送信する処理、および、センサ３からシリアルデータとして送信されてくる情報の受信などを行う。
【００４１】
モデム１３は、ファクシミリ画像等のデジタルデータを音声信号に変換して電話回線側へ送信する機能、および、電話回線側から送信されてくる音声信号をファクシミリ画像等のデジタルデータに変換する機能を有する装置である。
【００４２】
操作パネル部１４は、複数のボタンを有する入力装置で、利用者がファクシミリ装置１に対して各種指令を与える際に操作される。後述する監視モードやテストモードの開始／解除操作を行う際にも、この操作パネル部１４での操作が行われる。
【００４３】
音声出力部１５は、来客や不法侵入者があった場合に、検出音を出力する処理を実行する部分で、来客検出時に発生させるチャイム音や不正侵入者検出時に発生させる警報音などの複数種の検出音データを記憶するメモリ、このメモリから検出音データを読み出して音声信号に変換するＤ／Ａ変換部、音声信号を増幅する増幅部、および増幅された音声信号を検出音として出力するスピーカ部などによって構成されている。
【００４４】
印字部１６は、ファクシミリ画像や各種情報を印刷出力する部分で、記録紙を搬送する記録紙搬送部、および記録紙に対する記録を行う記録部などで構成されている。
設定  記憶部１７は、ファクシミリ装置１に関する各種設定を記憶する部分で、フラッシュメモリやＮＶＲＡＭ等の不揮発性メモリによって構成されている。この設定  記憶部１７に記憶される設定には、センサ３によって人体を検出した場合に、どのような対応を行うか（＝連絡先に通知するか否か、検出音を発生させるか否か）についての設定も含まれる。
【００４５】
ハンドセット部１８は、利用者が通話を行う際に利用する送／受話器である。
電話通信制御部１９は、通話に関する処理を実行する部分である。
録音メッセージ記憶部２０、留守番電話機能の作動時に、入来メッセージを録音する処理を行う部分で、音声信号をデジタルデータに変換するＡ／Ｄ変換部、およびデジタル化された音声データを記憶するメモリなどによって構成されている。
【００４６】
反応／操作  履歴  記憶部２１は、センサ３が反応したときにセンサから取得した情報や、操作パネル部１４において利用者が監視モードの開始／解除操作（詳細は後述）を行ったことを記憶する部分で、フラッシュメモリやＮＶＲＡＭ等の不揮発性メモリによって構成されている。
【００４７】
履歴  記憶部２２は、電話やファクシミリの着信／発信履歴を記憶する部分で、フラッシュメモリやＮＶＲＡＭ等の不揮発性メモリによって構成されている。
電話／ファックス番号  記憶部２３は、電話番号やファックス番号を記憶する部分で、これもフラッシュメモリやＮＶＲＡＭ等の不揮発性メモリによって構成されている。この電話／ファックス番号  記憶部２３には、利用者が普段利用する複数の電話番号やファックス番号を記憶させることができ、そのうちのいくつかの電話番号は、センサ３によって人体を検出した場合に、その旨を通知する連絡先としても利用される。なお、電話／ファックス番号  記憶部２３において、複数の電話番号やファックス番号それぞれを記憶させた各記憶領域には、内部処理用の通し番号が付与されており、先に説明した設定  記憶部１７には、この通し番号にて、どの電話番号を人体検出時の連絡先とするかが記憶されている。
【００４８】
表示部２４は、各種情報を表示可能な液晶ディスプレイパネルによって構成されている。
ケーブル接続部２５は、センサ３との接続を行うためのケーブルを挿し込むコネクタ、およびセンサ３との間で送受信する信号の入出力回路などを備え、先に説明したシリアル通信部１２は、このケーブル接続部２５を介してセンサ３とのデータ通信を行う。
【００４９】
ファックス通信制御部２６は、ファクシミリ通信に関する処理を実行する部分である。
次に、センサ３の内部構成について説明する。
人体検出用のセンサ３は、主制御部３１、シリアル通信部３２、人体検出部３３、ケーブル接続部３４、ＬＥＤ部３５、センサー番号設定部３６などを備えている。
【００５０】
主制御部３１は、周知のＣＰＵ、ＲＯＭ、ＲＡＭ等によって構成され、ＣＰＵがＲＯＭに記憶されたプログラムに従って各種演算および制御を実行している。すなわち、センサ３は、いわゆるインテリジェントタイプのセンサユニットとして構成されており、個々のセンサ３毎に設けられた主制御部３１の制御下で、各センサ３が独立に作動して人体検出処理を実行するものとなっている。
【００５１】
シリアル通信部３２は、ファクシミリ装置１との間のデータ通信に関する処理を実行する部分で、ファクシミリ装置１からシリアルデータとして送信されてくる情報送信要求コマンドを受信する処理、そのコマンドを解析して応答を返すか否かを判定する処理、および、応答を返すと判定した場合に、送信すべき情報を生成して、シリアルデータとして送信する処理などを行う。
【００５２】
人体検出部３３は、赤外線焦電型センサによって構成されている。赤外線焦電型センサは、赤外線を発する物体が検出範囲（本実施形態の場合、視野角６０度以上、検出距離２ｍ以上）で活動した際に、その活動に伴う赤外線の受光状態の変化を検出するセンサで、人体が検出範囲で活動すれば、それを検出することができる。
【００５３】
ケーブル接続部３４は、ファクシミリ装置１またはセンサ３との接続を行うためのケーブルを挿し込む２組のコネクタを備え、いわゆるデイジーチェーン方式で、ファクシミリ装置１から直列に複数のセンサ３を接続できるようになっている。このような接続方式とすることにより、ファクシミリ装置１のケーブル接続部２５には、１つのコネクタしかないものの、１台のファクシミリ装置１に対して複数のセンサ３を接続することができる。
【００５４】
ＬＥＤ部３５は、センサ３の状態を示すための表示器であり、主制御部３１によって点灯／点滅／消灯のいずれかの状態となるように制御される。通常は、ＬＥＤ部３５は、消灯状態とされているが、人体検出部３３で人体を検出した場合には、点滅制御が行われ、これにより、人体検出状態にあることを報知するようになっている。また、ファクシミリ装置１との間でデータの送信／受信を実行した際には、短時間（本実施形態の場合、１００ミリ秒）の点灯制御が行われ、これにより、データ通信状態にあることを報知するようになっている。
【００５５】
センサー番号設定部３６は、４ビットのディップスイッチによって構成され、各ビットのＯＮ／ＯＦＦを設定するスイッチにより、０〜１５の値を設定できるようになっている。複数のセンサ３を利用するに当たって、各センサ３には他のセンサ３と重複しないセンサ番号を設定しておく必要がある。
【００５６】
次に、ファクシミリ装置１と複数のセンサ３との間で行われるデータの送受信方式について説明する。
このファクシミリ装置１とセンサ３との間では、先にファクシミリ装置１側から応答要求を送信し、その応答要求を受信したセンサ３がファクシミリ装置１に対して応答を返信するという手順で、データの送受信が行われる。
【００５７】
ファクシミリ装置１が送信する応答要求の中には、センサ番号とコマンドが含まれており、センサ番号で指定されたセンサ３だけが、コマンドに応じた応答をファクシミリ装置１に対して返信する。
【００５８】
より詳しく説明すると、ファクシミリ装置１と複数のセンサ３は、既に説明した通り、デイジーチェーン方式で、ファクシミリ装置１から直列に複数のセンサ３が接続される。この状態において、ファクシミリ装置１を上流側、ファクシミリ装置１から最も離れた位置にあるセンサ３を下流側としてデータの流れを説明すると、まず、ファクシミリ装置１は、下流側のセンサ３に対して上述の応答要求を送信する。
【００５９】
センサ３の上流側から応答要求が送信されてきた場合、各センサ３は、ケーブル接続部３４を介して応答要求を受信するとともに、その応答要求をそのままケーブル接続部３４を介して下流側へも送信する。その結果、応答要求は、上流側から下流側へと順次伝送され、複数のセンサ３すべてが応答要求を受信することになる。
【００６０】
各センサ３が受信した応答要求は、各センサ３内で、それぞれシリアル通信部３２へと渡される。シリアル通信部３２では、応答要求の中に含まれるセンサ番号が抽出され、そのセンサ番号と各センサ３のセンサー番号設定部３６での設定値が比較される。
【００６１】
この比較において、両者が一致した場合、そのセンサ３は、処理対象とすべき応答要求であると認識し、主制御部３１において応答要求中のコマンドに応じた処理がなされ、その後、センサ３の上流側に向かって応答が返信されることになる。一方、上記比較において、両者が一致しない場合、そのセンサ３は、処理対象とすべき応答要求ではないと認識し、応答要求は単に破棄される。
【００６２】
このような各センサ３での処理の結果、１台のセンサ３のみが上流側に向かって応答を返信し、残りのセンサ３については何ら応答を返さないことになる。こうして１台のセンサ３が上流側に向かって応答を返信すると、応答返したセンサ３よりも上流側にあるセンサ３においては、下流側から応答が送信されてくることになる。
【００６３】
センサ３の下流側から応答が送信されてきた場合、各センサ３は、ケーブル接続部３４を介して応答を受信するとともに、その応答をそのままケーブル接続部３４を介して上流側へと送信する。その結果、応答は、下流側から上流側へと順次伝送され、最終的にファクシミリ装置１が応答を受信することになる。
【００６４】
次に、ファクシミリ装置１において、主制御部１１が実行する各種処理について説明する。
まず、動作設定処理について、図２および図３のフローチャートに基づいて説明する。この動作設定処理は、センサ３で人体を検出した場合に、ファクシミリ装置１がどのように作動するかを、事前に設定しておくために実行される処理であり、操作パネル部１４において、利用者が所定のボタンを操作すると開始される。
【００６５】
動作設定処理を開始すると、主制御部１１は、まず、一括設定か否かをチェックする（Ｓ１００）。ここで、一括設定か否かは、利用者が操作パネル部１４において指定するものであり、一括設定が指定された場合は、以降の処理で複数のセンサ３すべてについての設定を行う一方、一括設定が指定されていない場合は個別設定が指定されたことになり、以降の処理で１台のセンサ３についての設定を行うことになる。
【００６６】
一括設定が指定された場合（Ｓ１００：ＹＥＳ）、主制御部１１は、設定対象となるセンサ番号Ｎに１をセットし（Ｓ１０５）、センサ番号Ｎが最大センサ番号以下であれば（Ｓ１１０：ＹＥＳ）、センサ番号Ｎのセンサ３についての設定を行う（Ｓ１１５）。このＳ１１５の処理は、詳しくは図３に示すような処理となる。
【００６７】
図３に示す処理を開始すると、まず、主制御部１１は、センサ番号Ｎのセンサ３をセキュリティ用／来客用どちらの用途で利用するのかについて、その設定を利用者に入力させる（Ｓ２００）。
【００６８】
ここで、利用者は、操作パネル部１４においていずれかを選択する操作を行う。
利用者がセキュリティを選択した場合（Ｓ２０５：ＹＥＳ）、主制御部１１は、センサ番号Ｎのセンサ３について、セキュリティ用であるとの設定を、設定  記憶部１７に記憶させる（Ｓ２１０）。一方、利用者が来客を選択した（すなわち、セキュリティを選択しなかった）場合（Ｓ２０５：ＮＯ）、主制御部１１は、センサ番号Ｎのセンサ３について、来客用であるとの設定を、設定  記憶部１７に記憶させる（Ｓ２１５）。
【００６９】
続いて、主制御部１１は、センサ番号Ｎのセンサ３で人体を検出した場合に、ファクシミリ装置１による鳴動を行うか否かについて、その設定を利用者に入力させる（Ｓ２２０）。
【００７０】
ここで、利用者は、操作パネル部１４において鳴動ＯＮ／ＯＦＦのいずれかを選択する操作を行う。
利用者が鳴動ＯＮを選択した場合（Ｓ２２５：ＹＥＳ）、主制御部１１は、さらに鳴動音の音色を利用者に選択させ（Ｓ２３０）、センサ番号Ｎのセンサ３について、鳴動ＯＮであるとの設定および利用者が選択した音色を、設定  記憶部１７に記憶させる（Ｓ２３５）。一方、利用者が鳴動ＯＦＦを選択した場合（Ｓ２２５：ＮＯ）、主制御部１１は、センサ番号Ｎのセンサ３について、鳴動ＯＦＦであるとの設定を、設定  記憶部１７に記憶させる（Ｓ２４０）。
【００７１】
続いて、主制御部１１は、センサ番号Ｎのセンサ３で人体を検出した場合に、連絡先への電話通知を行うか否かについて、その設定を利用者に入力させる（Ｓ２４５）。
ここで、利用者は、操作パネル部１４において電話通知ＯＮ／ＯＦＦのいずれかを選択する操作を行う。
【００７２】
利用者が電話通知ＯＮを選択した場合（Ｓ２５０：ＹＥＳ）、主制御部１１は、さらに、電話／ファックス番号  記憶部２３に登録された電話番号の中から、連絡先となる電話番号を利用者に選択させ（Ｓ２５５）、センサ番号Ｎのセンサ３について、電話通知ＯＮであるとの設定および利用者が選択した電話番号（この電話番号を記憶させてある電話／ファックス番号  記憶部２３の記憶領域に付与された通し番号）を、設定  記憶部１７に記憶させる（Ｓ２６０）。一方、利用者が電話通知ＯＦＦを選択した場合（Ｓ２５０：ＮＯ）、主制御部１１は、センサ番号Ｎのセンサ３について、電話通知ＯＦＦであるとの設定を、設定  記憶部１７に記憶させる（Ｓ２６５）。
【００７３】
以上説明したＳ２００〜Ｓ２６５の処理を終えると、図２に示したＳ１１５の処理を終えたことになるので、続いて、主制御部１１は、設定対象となるセンサ番号Ｎに１を加算し（Ｓ１２０）、Ｓ１１０の処理へと戻る。その結果、センサ番号Ｎが最大センサ番号以下の間は（Ｓ１１０：ＹＥＳ）、上記Ｓ１１０〜Ｓ１２０の処理が繰り返されることになり、複数のセンサ３についての設定が順になされてゆくことになる。
【００７４】
そして、Ｓ１１０の処理において、センサ番号Ｎが最大センサ番号を超えたら（Ｓ１１０：ＮＯ）、本処理を終える。
さて一方、上記Ｓ１００の処理において、一括設定が指定されなかった場合は（Ｓ１００：ＮＯ）、個別設定が指定されたことになるので、主制御部１１は、設定対象となるセンサ番号Ｎを利用者に入力させる（Ｓ１２５）。
【００７５】
ここで、利用者は、操作パネル部１４において設定対象としたいセンサ番号Ｎを入力する操作を行う。
センサ番号Ｎが入力されたら、入力されたセンサ番号Ｎのセンサ３についての設定を行う（Ｓ１３０）。このＳ１３０の処理は、先に説明したＳ１１５の処理と同様、詳しくは図３に示すような処理となるが、この処理の詳細については既に説明したので、ここでの説明は省略する。そして、Ｓ１３０の処理を終えたら、本処理を終了する。
【００７６】
以上の動作設定処理の結果、セキュリティ／来客どちらの用途に使うか、鳴動ＯＮ／ＯＦＦをどちらとするか、鳴動ＯＮの場合の音色をどれにするか、電話通知ＯＮ／ＯＦＦをどちらとするか、電話通知ＯＮの場合の連絡先電話番号をどれにするか、以上の設定項目が、一括設定を指定した場合は、複数のセンサ３すべてについて設定され、個別設定を指定した場合は、利用者が番号で指定したセンサ３について設定されることになる。
【００７７】
次に、監視開始／解除切替処理について、図４のフローチャートに基づいて説明する。この監視開始／解除切替処理は、ファクシミリ装置１を通常モード（センサ３による人体検出を行わないモード）とするか監視モード（センサ３による人体検出を行うモード）とするかを切り替えるために実行される処理であり、操作パネル部１４において、利用者が所定のボタンを操作する（本実施形態の場合、１ボタンと３ボタンを同時に押下する）と開始される。
【００７８】
本処理を開始すると、主制御部１１は、まず、監視フラグＯＦＦか否かをチェックする（Ｓ３００）。ファクシミリ装置１が通常モードとなっている状態において、監視モードに切り替えるために利用者がボタン操作を行った場合、Ｓ３００の処理において監視フラグはＯＦＦとなっており、一方、ファクシミリ装置１が監視モードとなっている状態において、通常モードに切り替えるために利用者がボタン操作を行った場合、Ｓ３００の処理において監視フラグはＯＮとなっている。
【００７９】
Ｓ３００の処理において、監視フラグＯＦＦとなっていた場合（Ｓ３００：ＹＥＳ）、主制御部１１は、監視開始を履歴に保存する（Ｓ３０５）。具体的には、監視開始を示すコードおよび監視開始時刻（本実施形態においては、日付および時刻）を、反応／操作  履歴  記憶部２１に記憶させる。そして、後述する監視処理の中で複数のセンサ３を順にチェックしてゆくため、チェック対象となるセンサ番号Ｃに最初のセンサ番号である１をセットし（Ｓ３１０）、また、全センサに対してリセットコマンドを送信することにより、センサを全てリセットする（Ｓ３１２）。さらに、後述するＳ４２０の処理において、この監視開始処理の起動から実際の監視開始までに３分以上が経過したか否かを判定することになるため、タイマーＴ１に３分をセットすることにより、その判定用の計時をこの時点で開始する（Ｓ３１４）。そして、監視フラグをＯＮに設定して（Ｓ３１５）、本処理を終える。
【００８０】
一方、Ｓ３００の処理において、監視フラグＯＮとなっていた場合（Ｓ３００：ＮＯ）、主制御部１１は、監視解除を履歴に保存する（Ｓ３２０）。具体的には、監視解除を示すコードおよび監視解除時刻（本実施形態においては、日付および時刻）を、反応／操作  履歴  記憶部２１に記憶させる。そして、全センサに対してリセットコマンドを送信することにより、センサを全てリセットし（Ｓ３２２）、監視フラグをＯＦＦに設定して（Ｓ３２５）、本処理を終える。
【００８１】
以上の監視開始／解除切替処理の結果、監視開始／解除操作が行われたことがその時刻とともに履歴として反応／操作  履歴  記憶部２１に残され、また、監視フラグのＯＮ／ＯＦＦが切り替えられる。なお、監視開始／解除切替処理を実行した際、通常モードから監視モードへの切替であった場合は、後述する監視処理の中で必要となるリソースの確保やそれに伴う初期化なども行われ、逆に監視モードから通常モードへの切替であった場合は、監視処理の中でのみ必要であったリソースの解放やそれに伴う初期化なども行われるが、これらの処理自体は本発明の要部ではないので図示を省略する。
【００８２】
次に、監視処理について、図５および図６のフローチャートに基づいて説明する。この監視処理は、監視モードが設定されたときに実行される処理であり、上述の監視開始／解除切替処理の中で監視フラグにＯＮが設定されると開始される。
【００８３】
本処理を開始すると、主制御部１１は、人体検出処理を実行する（Ｓ４００）。この人体検出処理は、センサ番号Ｃのセンサ３から情報を取得して、そのセンサ３で人体を検出したか否かを調べる処理である。センサ番号Ｃは、先に説明した監視開始／解除切替処理の中で、監視開始時に初期値１がセットされ、詳しくは後述するが、Ｓ４００の処理を１回実行する毎に１が加算され、この加算の結果、最大センサ番号を超えた場合は再び１に戻される番号である。このＳ４００の人体検出処理は、詳しくは図６に示すような処理となる。
【００８４】
図６に示す処理を開始すると、まず、主制御部１１は、センサ番号Ｃのセンサ３にセンサ情報を要求する（Ｓ５００）。具体的には、シリアル通信部１２において、センサ番号Ｃとセンサ情報の要求コマンドとを含む応答要求を生成し、その応答要求をケーブル接続部２５を介してセンサ３側へと送信する。
【００８５】
この応答要求は、先に説明した通り、複数のセンサ３すべてに受信され、各センサ３において応答要求中のセンサ番号Ｃが参照される。そして、センサ番号Ｃ以外のセンサ３は応答要求を単に破棄し、センサ番号Ｃのセンサ３だけがファクシミリ装置１側へ応答を返すことになる。ファクシミリ装置１側へ返される応答中には、センサ番号Ｃのセンサ３が人体を検出したか否かを示す情報が含まれている。
【００８６】
センサ番号Ｃのセンサ３からファクシミリ装置１側へ応答が返されると、主制御部１１は、その応答をケーブル接続部２５を介して受信し、センサ情報を取得する（Ｓ５０５）。センサ情報を取得したら、センサ番号Ｃのセンサ３に人体検出に関する反応があったか否かをチェックする（Ｓ５１０）。ここで、反応があった場合は（Ｓ５１０：ＹＥＳ）、後述するＳ４２５の処理において、反応があってから人体検出時の動作開始までに３０秒以上が経過したか否かを判定することになるため、タイマーＴ２に３０秒をセットすることにより、その判定用の計時をこの時点で開始し（Ｓ５１２）、検出フラグをＯＮにする（Ｓ５１５）。一方、Ｓ５１０の処理において、反応がなかった場合は（Ｓ５１０：ＮＯ）、検出フラグをＯＦＦにする（Ｓ５２０）。なお、この検出フラグは、後述するＳ４０５の判断で利用されるフラグである。
【００８７】
そして、今回処理対象となったセンサ番号Ｃが最大センサ番号である場合は（Ｓ５２５：ＹＥＳ）、次回処理対象とするセンサ番号Ｃとして１をセットし（Ｓ５３０）、一方、今回処理対象となったセンサ番号Ｃが最大センサ番号でなかった場合は（Ｓ５２５：ＮＯ）、次回処理対象とするセンサ番号Ｃとして今回処理対象となったセンサ番号Ｃに１を加算する（Ｓ５３５）。
【００８８】
以上説明したＳ５００〜Ｓ５３５の処理を終えると、図５に示したＳ４００の処理を終えたことになるので、続いて、主制御部１１は、上記Ｓ５１５またはＳ５２０の処理においてＯＮ／ＯＦＦいずれかが設定された検出フラグを参照して、センサ番号Ｃのセンサ３で人体を検出したか否かをチェックする（Ｓ４０５）。
【００８９】
Ｓ４０５の処理において、人体を検出したと判定された場合（Ｓ４０５：ＹＥＳ）、主制御部１１は、設定  記憶部１７からセンサ番号Ｃのセンサ３の動作設定を取得する（Ｓ４１０）。
【００９０】
そして、センサ番号Ｃのセンサ３について、セキュリティ用であるとの設定（上記Ｓ２００〜Ｓ２１５の処理参照）がなされていた場合は（Ｓ４１５：ＹＥＳ）、上記Ｓ３１４の処理で計時を開始したタイマーＴ１を参照し、監視開始から３分以上が経過したか否かをチェックし（Ｓ４２０）、監視開始からの経過時間が３分未満であった場合は（Ｓ４２０：ＮＯ）、Ｓ４００の処理へと戻る。以上のようなＳ４１５〜Ｓ４２０の処理を行うことにより、監視開始後３分間は、センサ３側では人体を検出していても、そのことをファクシミリ装置１側では無視することになる。したがって、例えば、外出しようとする利用者が監視モードの設定後３分が経過する前に外出すれば、利用者がセンサ３によって不法侵入者として検出されてしまうことがなくなる。
【００９１】
一方、Ｓ４２０の処理において、監視開始からの経過時間が３分以上であった場合は（Ｓ４２０：ＹＥＳ）、上記Ｓ５１２の処理で計時を開始したタイマーＴ２を参照し、人体検出から３０秒以上が経過したか否かをチェックする（Ｓ４２５）。ここで、人体検出から３０秒が経過していない場合（Ｓ４２５：ＮＯ）、監視フラグがＯＦＦでなければ（Ｓ４３０：ＮＯ）、Ｓ４２５の処理へと戻る。本処理は、監視フラグがＯＮとなっている場合に開始される処理であり、先に説明した監視開始／解除切替処理が行われない限り、監視フラグはＯＮとなっているため、通常は、人体検出から３０秒が経過するまで、Ｓ４２５〜Ｓ４３０の処理が繰り返されることになる。この繰り返し処理の期間中に、操作パネル部１４において、利用者が所定のボタンを操作することにより、先に説明した監視開始／解除切替処理が行われると、監視フラグはＯＦＦに切り替わる。そして、監視フラグがＯＦＦに切り替わった場合は（Ｓ４３０：ＹＥＳ）、本処理を終了する。以上のようなＳ４２５〜Ｓ４３０の処理を行うことにより、人体検出後３０秒以内に監視モードが解除されれば、センサ３側では人体を検出していても、そのことをファクシミリ装置１側では無視することになる。したがって、例えば、帰宅した利用者が監視モードの解除を３０秒以内に行えば、利用者がセンサ３によって不法侵入者として検出されてしまうことがなくなる。
【００９２】
さて、Ｓ４２５の処理において、人体検出から３０秒が経過した場合は（Ｓ４２５：ＹＥＳ）、セキュリティ用の設定がなされているセンサ３である（Ｓ４４１５：ＹＥＳ）、監視開始後３分以上が経過した（Ｓ４２０：ＹＥＳ）、人体検出から３０秒以上が経過した（Ｓ４２５：ＹＥＳ）、以上の３条件が揃ったことになる。そこで、この場合は、Ｓ４３５の処理へと移行する。また、Ｓ４１５の処理において、来客用であるとの設定（上記Ｓ２００〜Ｓ２１５の処理参照）がなされていた場合は（Ｓ４１５：ＮＯ）、上記Ｓ４２０〜Ｓ４３０の処理に移行することなく、直ちにＳ４３５の処理へと移行する。これは、来客用の設定がなされているセンサ３については、監視開始後３分が経過する前に人体の検出を開始しても問題がなく、また、人体検出後３０秒が経過する前にＳ４３５以降の処理を行わないと、来客があったことを利用者に迅速に知らせることができないからである。
【００９３】
Ｓ４３５の処理へ移行した場合、主制御部１１は、人体検出を履歴に保存する（Ｓ４３５）。具体的には、人体検出時刻（本実施形態においては、日付および時刻）、人体検出を示すコード、人体を検出したセンサ３のセンサ番号Ｃ、人体を検出したセンサ３に対して設定された動作内容（鳴動／電話通知）を示すコード、詳細内容（音色／連絡先電話番号）、すべてのセンサ３の状態を示す情報などを、反応／操作  履歴  記憶部２１に記憶させる。
【００９４】
続いて、センサ番号Ｃのセンサ３について鳴動設定がある場合は（Ｓ４４０：ＹＥＳ）、主制御部１１は、音声出力部１５を制御して、一定時間だけ鳴動動作を行う（Ｓ４４５）。このときの鳴動音は、センサ３毎に設定された音色（上記Ｓ２３０の処理で選択された音色）となる。
【００９５】
また、Ｓ４４５の処理を終えるか、センサ番号Ｃのセンサ３について鳴動設定がなかった場合（Ｓ４４０：ＮＯ）、主制御部１１は、センサ番号Ｃのセンサ３について電話通知設定があれば（Ｓ４５０：ＹＥＳ）、電話通信制御部１９を制御して、一定時間だけ電話通知動作を行う（Ｓ４５５）。このとき連絡先となる電話番号は、センサ３毎に設定された電話番号（上記Ｓ２５５の処理で選択された電話番号）となる。なお、電話通知動作中に発呼先の電話に繋がった場合は、センサ番号Ｃのセンサ３にて異常を検出した旨の音声メッセージが流される。
【００９６】
こうしてＳ４５５の処理を終えるか、センサ番号Ｃのセンサ３について電話通知設定がなかった場合（Ｓ４５０：ＮＯ）、センサ番号Ｃのセンサ３をリセットする（Ｓ４６０）。具体的には、ファクシミリ装置１からは、センサ番号Ｃおよびリセット指令コマンドを含むデータが、すべてのセンサ３に対して送信される。このデータをセンサ番号Ｃのセンサ３が受け取って、リセット指令コマンドを受け取った旨の応答をファクシミリ装置１側へ返信するとともに、センサ３内部でリセット処理を行う。ファクシミリ装置１側では、リセット指令コマンドを受け取った旨の応答を受信することにより、センサ番号Ｃのセンサ３がリセットされたものと判断し、Ｓ４６０の処理を終え、Ｓ４００の処理へと戻る。
【００９７】
以上説明したＳ４１０〜Ｓ４６０の処理が、Ｓ４００の処理においてセンサ番号Ｃのセンサ３で人体を検出した場合（Ｓ４０５：ＹＥＳ）の処理となる。一方、Ｓ４００の処理においてセンサ番号Ｃのセンサ３で人体を検出しなかった場合は（Ｓ４０５：ＮＯ）、続いて、センサ番号Ｃのセンサ３が抜けたかどうかをチェックする（Ｓ４６５）。具体的には、センサ番号Ｃのセンサ３に対して応答を要求しても応答が返らない場合、センサ番号Ｃのセンサ３が抜けたと判断する。ただし、先に説明した通り、複数のセンサ３は直列に接続されているため、接続経路上の１カ所で接続が断たれると、その位置より下流側にあるセンサ３は、すべて抜けたと判断されることになる。
【００９８】
センサ番号Ｃのセンサ３が抜けた場合（Ｓ４６５：ＹＥＳ）、センサが抜けたことを履歴に保存する（Ｓ４７０）。具体的には、センサが抜けたことを検出した時刻（本実施形態においては、日付および時刻）、センサ抜け検出を示すコード、すべてのセンサ３の状態を示す情報などを、反応／操作  履歴  記憶部２１に記憶させる。以降は、先に説明したＳ４４０の処理へと移行することにより、センサ番号Ｃのセンサ３に対して設定された鳴動設定、電話通知設定に従い、各動作を行うことになるが、Ｓ４４０〜Ｓ４６０の処理については既に説明したので、ここでの説明は省略する。
【００９９】
また、センサ番号Ｃのセンサ３が抜けていなかった場合は（Ｓ４６５：ＮＯ）、監視フラグがＯＦＦか否かをチェックし（Ｓ４７５）、監視フラグがＯＦＦであれば（Ｓ４３０：ＹＥＳ）、本処理を終了する。また、監視フラグがＯＮであれば（Ｓ４３０：ＮＯ）、Ｓ４００の処理へと戻る。
【０１００】
以上説明した処理の中で、Ｓ４００の処理へと戻った場合は、再び人体検出処理が行われることになるが、先に説明した通り、人体検出処理が行われる毎に、Ｓ５３０またはＳ５３５の処理が実行される結果、センサ番号Ｃが１から最大センサ番号までの間で１ずつ変化ながら循環するので、Ｓ４００の処理へと戻るたびに、次のセンサ３についての処理がなされることになる。
【０１０１】
なお、監視モードにおいて、どのセンサ３も人体を検出せず、センサ抜けなども発生していない場合は、Ｓ４００→Ｓ４０５→Ｓ４６５→Ｓ４７５→Ｓ４００→…の順に各処理を繰り返すことになる。この繰り返し処理が行われる中で、操作パネル部１４において、利用者が所定のボタンを操作することにより、先に説明した監視開始／解除切替処理が行われると、監視フラグはＯＦＦに切り替わり、この場合（Ｓ４７５：ＹＥＳ）、本処理を終了することになる。
【０１０２】
以上説明した監視開始／解除切替処理および監視処理の中で、監視開始を履歴に保存する処理（Ｓ３０５）、監視解除を履歴に保存する処理（Ｓ３２０）、人体検出を履歴に保存する処理（Ｓ４３５）、センサが抜けたことを履歴に保存する処理（Ｓ４７０）、以上の各処理が実行されると、反応／操作  履歴  記憶部２１には、図７に示すような情報が記録されることになる。
【０１０３】
図７は、反応／操作  履歴  記憶部２１に記憶された履歴情報を、利用者が見やすい形式に編集して印字部１６で印刷出力した例であり、反応／操作  履歴  記憶部２１に記憶された履歴情報のデータ構造を示すものではないが、履歴情報の内容としては、図７に例示したような内容が反応／操作  履歴  記憶部２１に格納されている。
【０１０４】
次に、テストモード処理について、図８のフローチャートに基づいて説明する。このテストモード処理は、各センサ３が正常に作動するかどうかを、ファクシミリ装置１側での鳴動により確認するための処理であり、操作パネル部１４において、利用者が所定のボタンを操作すると開始される。
【０１０５】
本処理を開始すると、主制御部１１は、まず、複数のセンサ３を順にチェックしてゆくため、チェック対象となるセンサ番号Ｃに最初のセンサ番号である１をセットし（Ｓ６００）、人体検出処理を実行する（Ｓ６０５）。この人体検出処理は、センサ番号Ｃのセンサ３から情報を取得して、そのセンサ３で人体を検出したか否かを調べる処理であるが、先に説明したＳ４００の処理（＝Ｓ５００〜Ｓ５３５の処理；図６参照）とまったく同一の処理なので、ここでの説明は省略する。
【０１０６】
続いて、主制御部１１は、上記Ｓ４０５の処理と同様、Ｓ５１５またはＳ５２０の処理においてＯＮ／ＯＦＦいずれかが設定された検出フラグを参照して、センサ番号Ｃのセンサ３で人体を検出したか否かをチェックする（Ｓ６１０）。そして、センサ番号Ｃのセンサ３で人体を検出した場合は（Ｓ６１０：ＹＥＳ）、音声出力部１５を制御して、鳴動動作を行う（Ｓ６１５）。
【０１０７】
そして、Ｓ６１５の処理を終えるか、センサ番号Ｃのセンサ３で人体を検出しなかった場合は（Ｓ６１０：ＮＯ）、操作パネル部１４において、利用者が停止ボタンを押下したか否かをチェックし（Ｓ６２０）、停止ボタンが押下されていなければ（Ｓ６２０：ＮＯ）、Ｓ６０５の処理へと戻り、Ｓ６０５〜Ｓ６２０の処理を繰り返す。この繰り返し処理により、複数のセンサ３は順にテストされ、人体を検出しているセンサ３が検査対象となった場合は、ファクシミリ装置１が鳴動することになる。
【０１０８】
また、この繰り返し処理が実行されている中で、停止ボタンが押下された場合は（Ｓ６２０：ＹＥＳ）、本処理を終了する。
このように、テストモード処理においては、各センサ３が正常に作動するかどうかをテストすることができ、その際、監視モードとは異なり、センサ３が作動しても、センサ３が作動したことは履歴に残されない。したがって、テストモードでのテストを行えば、監視モードでの履歴中に、テストモード時の人体検出に関する情報を混在させてしまうことがない。
【０１０９】
以上説明した通り、このファクシミリ装置１の主制御部１１（本発明でいう記憶制御手段）は、複数のセンサ３のいずれかで人体を検出した際、人体を検出したセンサ３が複数のセンサ３のうちのどれであったかを示すセンサ情報が含まれる人体検出情報を、反応／操作  履歴  記憶部２１（本発明でいうセンサ情報記憶手段）に記憶させる。その結果、反応／操作  履歴  記憶部２１には、人体の検出状況が履歴として残される。
【０１１０】
したがって、このファクシミリ装置１によれば、複数のセンサ３を２以上の場所に配置しておくことにより、２以上の場所における来客や不法侵入者を検出することができる。しかも、各センサ３で人体を検出した際には、反応／操作  履歴  記憶部２１に人体の検出状況が履歴として残されるので、人体検出時に単に通報先へ通報する装置とは異なり、反応／操作  履歴  記憶部２１を、利用者が後から参照することも可能となる。
【０１１１】
また、複数のセンサ３のそれぞれに対応づけて電話番号を記憶させることで、人体を検出したセンサ３に応じて、そのセンサ３に対応する電話番号の示す連絡先に、センサ３で人体を検出した旨を通知するので、来客検出用のセンサ３と不正侵入者検出用のセンサ３とで、別の電話番号を設定したり、一方だけ電話番号を設定したりすることができる。
【０１１２】
また、複数のセンサ３のうち、いずれかが正常に作動していないことを検出した場合にも、電話番号の示す連絡先に通知するので、連絡先となっている場所において、複数のセンサ３のいずれかが正常に作動していないことを知ることができる。
【０１１３】
また、複数のセンサ３のそれぞれに対応づけて複数の音色を設定することで、人体を検出したセンサ３に応じて、異なる音色で検出音を発生させることができるので、あるセンサ３は来客を検出するためのセンサとして表口などに設置し、そのセンサ３で人体を検出したら、来客検出時用の検出音（チャイム音）を発生させる一方、別のセンサ３は不正侵入者を検出するためのセンサとして裏口などに設置し、そのセンサ３で人体を検出したら、不正侵入者検出時用の検出音（警報音）を発生させるなど、各センサ３の用途等に合わせて各センサ３毎に検出音を変えることができる。
【０１１４】
さらに、操作パネル部１４において、テストモードとする旨の設定を行った場合、各センサ３が正常に作動するかどうか、ファクシミリ装置１側で検出音を発生させてテストすることができ、そのテスト時にセンサ３が反応しても、人体検出情報を履歴として記録しないので、後から履歴を見たときに、来客や不正侵入者があったと誤解することがない。
【０１１５】
以上、本発明の実施形態について説明したが、本発明は上記の具体的な一実施形態に限定されず、この他にも種々の形態で実施することができる。
例えば、上記実施形態では、通信装置の一例としてファクシミリ装置を例示したが、データとしてメールを送信可能なメール端末などにおいて、本発明の構成を採用してもよい。
【０１１６】
また、上記実施形態では、焦電センサを利用した人体検出用のセンサ３を例示したが、反射光の光量で人体を検出する光電センサや、人体の接近を検出する測距センサなど、公知の人体検出センサを任意に利用でき、検出精度を向上させるため、これら複数種のセンサを組み合わせて利用することもできる。
【０１１７】
さらに、上記実施形態では、人体検出に関する履歴情報を、印字部１６で印刷出力する例について説明したが、大型のディスプレイ装置を備えている場合は、人体検出情報を画面表示してもよく、また、ファクシミリ画像として所定の送信先へと送信したり、電子メール化して所定のメールアドレスに送信してもよい。
【図面の簡単な説明】
【０１１８】
【図１】本発明の実施形態として説明したファクシミリ装置とセンサの概略構成図。
【図２】動作設定処理のフローチャート。
【図３】センサ番号Ｎのセンサについての設定処理のフローチャート。
【図４】監視開始／解除切替処理のフローチャート。
【図５】監視処理のフローチャート。
【図６】人体検出処理のフローチャート。
【図７】人体検出等の履歴の印刷例を示す図。
【図８】テストモード処理のフローチャート。
【符号の説明】
【０１１９】
１・・・ファクシミリ装置、３・・・センサ、１１・・・主制御部、１２・・・シリアル通信部、１３・・・モデム、１４・・・操作パネル部、１５・・・音声出力部、１６・・・印字部、１７・・・設定  記憶部、１８・・・ハンドセット部、１９・・・電話通信制御部、２０・・・録音メッセージ記憶部、２１・・・反応／操作  履歴  記憶部、２２・・・履歴  記憶部、２３・・・電話／ファックス番号  記憶部、２４・・・表示部、２５・・・ケーブル接続部、２６・・・ファックス通信制御部、３１・・・主制御部、３２・・・シリアル通信部、３３・・・人体検出部、３４・・・ケーブル接続部、３５・・・ＬＥＤ部、３６・・・センサー番号設定部。
【図１】
2005192155.tif 000003
【図２】
2005192155.tif 000004
【図３】
2005192155.tif 000005
【図４】
2005192155.tif 000006
【図５】
2005192155.tif 000007
【図６】
2005192155.tif 000008
【図７】
2005192155.tif 000009
【図８】
2005192155.tif 000010